(57)【特許請求の範囲】
【請求項１】
高水位側貯水池と低水位側貯水池とを相互に連通管により底部近傍同士で連通させ、該低水位側貯水池内に、該連通管に下端部が接続されるとともに上端部がフロートに支持されて水位に応動して昇降可能な水位調整管を設け、該水位調整管の上端開口部は水面より所定高さ上方に突出させて位置させたことを特徴とする連通する二つの貯水池間の水位調整装置。
【発明の詳細な説明】
【０００１】
【発明の属する技術分野】
本発明は、棚田方式の貯水池における連通する二つの貯水池間の水位調整装置に関するものである。
【０００２】
【従来の技術】
勾配のある箇所における貯水方式として、何段かに堰堤を築造し湛水した棚田方式の貯水池がある。
【０００３】
この棚田方式の貯水池は、従来、図２に示すように、傾斜面１に立設した堰２により、高水位側貯水池３と低水位側貯水池４とに仕切ることにより階段状に形成される。そして、各貯水池における水位調整は、堰２の上部からの越流の量を規制する越流型か、又は、堰２を貫くトンネルからの流出量を規制するトンネル型か、いずれかの洪水吐け方式によっていた。
【０００４】
【発明が解決しようとする課題】
しかしながら、従来の洪水吐け方式では、下流からの取水による各貯水池の水位の微調節ができず、全ての棚田の貯水池から均等に排水したり、または、全ての棚田の貯水池に均等に貯水することができない欠点があった。
【０００５】
そこで、本発明の目的は、上記課題を解決し、下流からの取水に対する各貯水池の水位の調節が可能であり、全ての棚田の貯水池から均等に排水し、または、全ての棚田の貯水池に均等に貯水することができる、連通する二つの貯水池間の水位調整装置を提供することにある。
【０００６】
【課題を解決するための手段】
上記目的を達成するため本発明に係る連通する二つの貯水池間の水位調整装置あっては、高水位側貯水池と低水位側貯水池とを相互に連通管により底部近傍同士で連通させ、該低水位側貯水池内に、該連通管に下端部が接続されるとともに上端部がフロートに支持されて水位に応動して昇降可能な水位調整管を設け、該水位調整管の上端開口部は水面より所定高さ上方に突出させて位置させた構成とする。
【０００７】
低水位側貯水池内の水が放水されたり、あるいは高水位側貯水池内に給水されるなどして、両貯水池の水面位高さの相対差が大きくなり、低水位側貯水池内に設けた水位調整管の上端開口部の高さが高水位側貯水池の水面位より低くなると、高水位側貯水池から低水位側貯水池に向けて連通管と水位調整管とを通じて水が流通する。そして、高水位側貯水池の水位が下がると共に低水位側貯水池の水位が上がり、当該水位調整管の上端開口部と高水位側貯水池の水面位との高さが等しくなると、その時点で水の流通は止まる。即ち、高水位側貯水池の水面位と低水位側貯水池の水面位とは常に一定の相対高さの差を保つように昇降する。従って、全ての棚田の貯水池から均等に排水し、または、全ての棚田の貯水池に均等に貯水することができる。
【０００８】
フロートにより水面上に突出させる管の開口部は、管の先端部に設けてもよく、或いは管の水面上に出ている部分の中途に設けてもよい。
【０００９】
【発明の実施の形態】
以下、本発明を図示の実施形態に基づいて説明する。
【００１０】
図１に示す上下の貯水池は、傾斜面１に立設した堰２により、高水位側貯水池３と低水位側貯水池４とに仕切ることにより形成されている。
【００１１】
この高水位側貯水池３と低水位側貯水池４を仕切る堰２の下部には、堰２を貫通して両貯水池３，４の底部近傍同士を連通させるように連通管５が設けられている。そして、低水位側貯水池４内には、これに臨む連通管５に下端部が連通接続されて水位調整管６が設けられている。この水位調整管６には可撓性に富んだ合成樹脂製等のホース材、あるいは上端部側が上下方向に伸縮可能なテレスコピック管等が用いられており、その上端部側にはフロート７が取付けられて、低水位側貯水池４の水面より所定高さ（一定差）ｈだけ水位調整管６の上端開口部６ａが常に上方に突出して位置されるようになっている。なお、連通管５の最下端は閉塞されているか又は開閉バルブ８で開放可能に閉鎖されている。
【００１２】
このように構成された二つの貯水池間の水位調整装置にあっては、低水位側貯水池４に設けた水位調整管６の上端開口部６ａの高さが高水位側貯水池３の水面位よりも高くなっている場合には、連通管５と水位調整管６とを通じて水が流通することはないが、低水位側貯水池４からの放水や高水位側貯留池３内への給水等により、両貯水池３，４の水面位の相対差が大きくなり、低水位側貯水池４に設けた水位調整管６の上端開口部６ａの高さが高水位側貯水池３の水面位よりも下がると、連通管５と水位調整管６とを通じて高水位側貯水池３から低水位側貯水池４に水が流入する。そして、高水位側貯水池３の水位が低下すると共に低水位側貯水池４の水位が上がり、水位調整管６の上端開口部６ａの高さが高水位側貯水池３の水面位と同じ高さになると、その時点で水の流通は止まり、それ以上は流れなくなる。即ち、高水位側貯水池３の水面位は低水位側貯水池４の水面位よりも常に一定高さｈだけ高い位置を保つように両水面位が昇降することになる。
【００１３】
このように低水位側貯水池４と高水位側貯水池３との水面レベル差は予め定めた一定値（一定差ｈ）になろうとするので、下流からの取水により全ての貯水池の水位の調節が同時に、かつ自動的に行なわれる。なお、水面レベル差（一定差ｈ）自体の設定は、フロート７部分における管６の立ち上がり高さｈを調整することだけで行うことができる。なお、連通管５に設けた開閉バルブ８を操作することで、両貯水池３，４の水面位を同水位に均一化させることもできる。
【００１４】
上記のサイホン式液面制御装置は棚田状の各段の貯水池ごとに設置される。従って、最下段の棚田の貯水池から取水すると、全ての棚田の貯水池の水位が同時に変化する。また最上段の棚田の貯水池に給水すると、全ての棚田の貯水池の水位が同時に上がる。従って、全ての棚田の貯水池から均等に排水し、または、全ての棚田の貯水池に均等に貯水することができる。
【００１５】
また、本発明の水位調整装置は構成が簡単であるため、急勾配の場所でも軽装備で貯水することが可能である。さらに、本発明の水位調整装置は、棚田方式の通常の貯水池に適用できるほか、千枚田（棚田）を模した里山の演出（環境優先）をする場合に利用したり、棚田方式の貯水池を地中タンク式にして地中に展開したり、棚田方式の貯水池を都市の防災機能公園の地下に築造する場合等に利用することができる。また、本発明の水位調整装置は、全ての棚田の蒸散の面積が常に最大となるように作用するという特質があり、かかる性質をヒートアイランド対策に利用することもできる。
【００１６】
【発明の効果】
以上説明したように本発明によれば、高水位側貯水池と低水位側貯水池との底部近傍同士を連通させる連通管を設けるとともに、低水位側貯水池内に当該連通管に下端部を接続させて水位調整管を設け、当該水位調整管には可撓性に富んで上端部が昇降可能な、あるいは上端部が上下に伸縮可能な管を用いて、その水位調整管の上端部にフロートを取付けてその上端開口部を常に水面上に所定高さ分だけ突出させるようにしているので、低水位側貯水池からの放水や高水位側貯水池への給水を行っても、高水位側貯水池と低水位側貯水池との水面位の相対差が所定の高さになるように連通管と水位調整管とを通じて高水位側貯水池から低水位側貯水池に向けて水が流通して、低水位側貯水池と高水位側貯水池との水面位の相対差を自動的に常に一定に保つことができる。よって、全ての棚田の貯水池から均等に排水することができ、また、全ての棚田の貯水池に均等に貯水することができる。
【図面の簡単な説明】
【図１】本発明による連通する二つの貯水池間の水位調整装置を示す概略図である。
【図２】従来の棚田方式の貯水池における越流型の水位調整装置を示す概略図である。
【符号の説明】
１  傾斜面
２  堰
３  高水位側貯水池
４  低水位側貯水池
５  連通管
６  水位調整管
６ａ  上端開口部
７  フロート
【図１】
0003593889.tif 000002
【図２】
0003593889.tif 000003